(57)【要約】【課題】三次元表示においてクロストークが防止される表示装置を提供する。【解決手段】表示装置を構成する液晶モニタ２８は、表示パネル２１０と、２層に形成された２つの視差バリア７１０，７２０とを含む。表示装置のユーザの両目が理想の位置にある場合、左目７３０および右目７４０として規定される。クロストークを防止するための視差バリア７１０は、表示パネル２１０と視差バリア７２０との間に形成される。一例として、表示パネル２１０から視差バリア７１０までの距離をｂとし、視差バリア７１０と視差バリア７２０との間隔を距離ｃとし、ユーザの両目から視差バリア７２０までの距離をｄとし、視差バリア７１０の幅をｘとし、視差バリア７２０の幅をｍとすると、ｘ：ｍ＝ｂ：（ｂ＋ｃ）が成立し、幅ｘはｘ＝ｍ＊ｂ／（ｂ＋ｃ）として規定される。【選択図】図７
2013068707.tif 000002
【特許請求の範囲】
【請求項１】
画像を３次元で表示可能な表示装置であって、
画像を表示するための表示手段と、
前記表示手段を部分的に遮光する視差バリアを形成するための第１の形成手段と、
前記表示手段と前記第１の形成手段との間において、前記表示手段を部分的に遮光する視差バリアを形成するための第２の形成手段とを備え、
前記第２の形成手段によって形成される視差バリアの幅は、前記第１の形成手段によって形成される視差バリアの幅よりも小さい、表示装置。
【請求項２】
前記第２の形成手段によって形成される視差バリアの数は、前記第１の形成手段によって形成される視差バリアの数よりも多い、請求項１に記載の表示装置。
【請求項３】
前記第１の形成手段は、一方向に少なくとも３つの視差バリアを形成し、
前記３つの視差バリアのうちの第１の視差バリアと第３の視差バリアとの間の第２の視差バリアと、前記表示手段との間には、前記第２の形成手段による１つの視差バリアが形成されており、
前記第１の視差バリアと前記表示手段との間、および、前記第３の示唆バリアと前記表示手段との間には、それぞれ、前記第２の形成手段による２つの視差バリアが形成されている、請求項１または２に記載の表示装置。
【請求項４】
請求項１〜３のいずれかに記載の表示装置を有する画像表示端末。
【発明の詳細な説明】
【技術分野】
【０００１】
本発明は、三次元の画像を表示する技術に関し、より特定的には、クロストークを軽減しつつ三次元の画像を表示する技術に関する。
【背景技術】
【０００２】
従来、一層の視差バリアを用いて三次元の画像を表示するための装置の場合、その画像を視認する位置がずれた場合にクロストークが発生する。そのクロストークを抑えるため、たとえば、視差バリアの幅を広くする方法が知られている。しかし、この方法では、視差バリアの形成をオン（三次元の画像表示モード）になると、必要以上に全体の輝度が低下する場合がある。さらに、視差バリアによって隠される特定色の一部（サブピクセル）が隠れ、その特定色が減少して目に視認される。そのため、三次元画像の表示の品位も低下する。たとえば、オリジナルの画像が、三次元の表示モードにおいては、変色することになる。
【０００３】
たとえば、特開平６−１０５３４１号公報（特許文献１）は、「あらゆる任意の方向から立体視を実現する」ための技術を開示している。また、特開２００８−１１１９０５号公報（特許文献２）は、「画像クロストークが発生する方向の範囲を少なくし、正しい画像のみを表示しやすくできる表示素子」を開示している（特許文献２）。
【先行技術文献】
【特許文献】
【０００４】
【特許文献１】特開平６−１０５３４１号公報
【特許文献２】特開２００８−１１１９０５号公報
【発明の概要】
【発明が解決しようとする課題】
【０００５】
しかしながら、特開２００８−１１１９０５号公報に開示された技術は、異なる方向から観測したときに、各方向で異なる画像を表示できる表示素子に向けられている（特許文献２の段落０００１）。そのため、同一のユーザが画像を視認する場合には、その技術をそのまま適用することはできないという問題がある。
【０００６】
本発明は、上述のような問題点を解決するためになされたものであって、その目的は、クロストークの発生が抑制される表示装置を提供することである。
【０００７】
他の目的は、クロストークの発生が抑制される表示装置を有する画像表示端末を提供することである。
【課題を解決するための手段】
【０００８】
一実施の形態に従う、画像を３次元で表示可能な表示装置は、画像を表示するための表示手段と、表示手段を部分的に遮光する視差バリアを形成するための第１の形成手段と、表示手段と第１の形成手段との間において、表示手段を部分的に遮光する視差バリアを形成するための第２の形成手段とを備える。第２の形成手段によって形成される視差バリアの幅は、第１の形成手段によって形成される視差バリアの幅よりも小さい。
【０００９】
好ましくは、第２の形成手段によって形成される視差バリアの数は、第１の形成手段によって形成される視差バリアの数よりも多い。
【００１０】
好ましくは、第１の形成手段は、一方向に少なくとも３つの視差バリアを形成する。３つの視差バリアのうちの第１の視差バリアと第３の視差バリアとの間の第２の視差バリアと、表示手段との間には、第２の形成手段による１つの視差バリアが形成されている。第１の視差バリアと表示手段との間、および、第３の示唆バリアと表示手段との間には、それぞれ、第２の形成手段による２つの視差バリアが形成されている。
【００１１】
他の実施の形態に従うと、上記のいずれかに記載の表示装置を有する画像表示端末が提供される。
【発明の効果】
【００１２】
ある局面にしたがうと、クロストークの発生が抑制される。
この発明の上記および他の目的、特徴、局面および利点は、添付の図面と関連して理解されるこの発明に関する次の詳細な説明から明らかとなるであろう。
【図面の簡単な説明】
【００１３】
【図１】表示装置１００のハードウェア構成の表わすブロック図である。
【図２】従来の構成を有する三次元表示可能な液晶モニタ２００の構造の概略を表わす図である。
【図３】図２に示される液晶モニタ２００を視認する両目が理想の位置から右側にずれた場合における視認の態様を表わす図である。
【図４】本実施の形態に係る表示装置１００が備える液晶モニタ２８の構成の概略を表わす図である。
【図５】ある局面における表示装置について、一層の視差バリアとして、視差バリア５１０，５２０が形成される場合を表わす図である。
【図６】本実施の形態に係る表示装置１００の液晶モニタ２８の構成の概要を表わす図である。
【図７】表示パネル２１０と、２層に形成された２つの視差バリア７１０，７２０との関係を表わす図である。
【図８】サブの視差バリア（ＳＰＢ）８１０，８１１，８１２，８１３のうち、視差バリア８１２の有無に応じて形成される視差の相違を説明するための図である。
【図９】表示装置１００のユーザの右目が標準の位置よりも右側にずれている場合、および、ユーザの左目が標準の位置よりも左側にずれている場合における視差を説明するための図である。
【図１０】図９の一部を拡大して表わした図である。
【発明を実施するための形態】
【００１４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１５】
図１を参照して、本実施の形態に係る表示装置１００のハードウェア構成について説明する。図１は、表示装置１００のハードウェア構成の表わすブロック図である。ある局面において、表示装置１００は、たとえば、携帯電話機、スマートフォン、ラップトップ型ＰＣ（Personal  Computer）、タブレット型ＰＣ、電子書籍、ＰＤＡ（Personal  Digital  Assistant）、携帯型ゲーム機その他の端末装置であって、三次元表示可能な端末装置として実現される。
【００１６】
表示装置１００は、通信装置１３と、チューナ１２と、アンテナ１４，１５と、ＣＰＵ（Central  Processing  Unit）１０と、音声信号処理回路１１と、測位処理部２５と、測位信号受信フロントエンド部２４と、ＧＰＳ（Global  Positioning  System）アンテナ２３と、カメラ１７と、スピーカ２７と、フラッシュメモリ１８と、ＲＡＭ（Random  Access  Memory）１９と、ＲＯＭ（Read  Only  Memory）２０と、液晶モニタ２８と、バックライト２９と、マイク２６と、ＬＥＤ（Light  Emitting  Diode）３０と、メモリカード駆動装置２１と、データ通信Ｉ／Ｆ（Interface）３１と、バイブレータ３２とを備える。メモリカード駆動装置２１には、メモリカード２２が装着され得る。
【００１７】
アンテナ１４は、ワンセグ放送その他のテレビジョン放送信号を受信する。チューナ１２は、ＣＰＵ１０の命令に従って番組を選局し、映像信号および音声信号をＣＰＵ１０に伝送する。他の局面において、アンテナ１４は、ラジオ放送を受信してもよい。
【００１８】
アンテナ１５によって受信された信号は、通信装置１３によってフロントエンド処理が行なわれた後、処理後の信号は、ＣＰＵ１０に送られる。ＣＰＵ１０は、表示装置１００に対して与えられる命令に基づいて表示装置１００の動作を制御するための処理を実行する。ＣＰＵ１０は、通信装置１３から送られた信号に基づいて予め規定された処理を実行し、処理後の信号を音声信号処理回路１１に送出する。音声信号処理回路１１は、その信号に対して予め規定された信号処理を実行し、処理後の信号をスピーカ２７に送出する。スピーカ２７は、その信号に基づいて音声を出力する。
【００１９】
マイク２６は、表示装置１００に対する発話を受け付けて、発話された音声に対応する信号を音声信号処理回路１１に対して送出する。音声信号処理回路１１は、その信号に基づいて通話のために予め規定された処理を実行し、処理後の信号をＣＰＵ１０に対して送出する。ＣＰＵ１０は、その信号を送信用のデータに変換し、変換後のデータを通信装置１３に対して送出する。通信装置１３は、そのデータを用いて送信用の信号を生成し、アンテナ１５に向けてその信号を送出する。
【００２０】
フラッシュメモリ１８は、ＣＰＵ１０から送られるデータを格納する。また、ＣＰＵ１０は、フラッシュメモリ１８に格納されているデータを読み出し、そのデータを用いて予め規定された処理を実行する。
【００２１】
ＲＡＭ１９は、ボタン１６に対して行なわれた操作に基づいてＣＰＵ１０によって生成されるデータを一時的に保持する。ＲＯＭ２０は、表示装置１００に予め定められた動作を実行させるためのプログラムあるいはデータを格納している。ＣＰＵ１０は、ＲＯＭ２０から当該プログラムまたはデータを読み出し、表示装置１００の動作を制御する。
【００２２】
メモリカード駆動装置２１は、メモリカード２２に格納されているデータを読み出し、ＣＰＵ１０に送出する。逆にメモリカード駆動装置２１は、ＣＰＵ１０によって出力されるデータを、メモリカード２２の空き領域に書き込む。
【００２３】
音声信号処理回路１１は、上述のような通話のための信号処理を実行する。なお、図１に示される例では、ＣＰＵ１０と音声信号処理回路１１とが別個の構成として示されているが、他の局面において、ＣＰＵ１０と音声信号処理回路１１とが一体として構成されていてもよい。
【００２４】
液晶モニタ２８は、液晶モニタ２８は、ＣＰＵ１０から取得されるデータに基づいて、当該データによって規定される画像を表示する。たとえば、フラッシュメモリ１８が格納している静止画像、動画像、文書、音楽ファイルの属性（当該ファイルの名前、演奏者、演奏時間など）を表示する。ある局面において、液晶モニタ２８は、二次元の画像と三次元の画像とを表示することができる。三次元の画像の表示は、たとえば、視差バリアを形成することによって実現されるが、三次元の表示のために他の方式が用いられてもよい。また、他の局面において、液晶モニタ２８は、タッチパネル式のディスプレイであってもよい。この場合、タッチパネルの機構は特に限られない。なお、画像を表示するための手段の態様は、液晶モニタ２８に限られず、たとえば、有機ＥＬ（Electro  Luminescence）パネルを用いたモニタであってもよい。
【００２５】
バックライト２９は、発光することにより、液晶モニタ２８に対して光を供給する。ある局面において、バックライト２９は、ＣＰＵ１０からの制御信号に基づいて光量を増加させ、または減少させることができる。
【００２６】
ＬＥＤ３０は、ＣＰＵ１０からの信号に基づいて、予め定められた発光動作を実現する。たとえば、ＬＥＤ３０が複数の色を表示可能な場合には、ＬＥＤ３０は、ＣＰＵ１０から出力される信号に含まれるデータに関連付けられている色で発光する。発光の態様（間隔、発光する色の数、点滅パターンなど）は特に限られない。
【００２７】
データ通信Ｉ／Ｆ３１は、データ通信用のケーブルの装着を受け付ける。データ通信Ｉ／Ｆ３１は、ＣＰＵ１０から出力される信号を当該ケーブルに対して送出する。あるいは、データ通信Ｉ／Ｆ３１は、当該ケーブルを介して受信されるデータを、ＣＰＵ１０に対して送出する。
【００２８】
バイブレータ３２は、ＣＰＵ１０から出力される命令に基づいて、フラッシュメモリ１８において設定されている周波数で発振する。
【００２９】
ＧＰＳアンテナ２３は、ＧＰＳ衛星から発信される信号を受信し、受信した信号を測位信号受信フロントエンド部２４に送出する。測位信号受信フロントエンド部２４は、少なくとも３つ（望ましくは４つ以上）のＧＳＰ衛星から受信した各信号に基づいてパターンマッチングを行ない、各信号に含まれるコードパターンと表示装置１００が保持するコードパターンとが一致した場合に、その信号を測位処理部２５に送出する。
【００３０】
測位処理部２５は、その信号を用いて、測位処理を実行し、当該信号を受信した表示装置１００の位置を算出する。ＣＰＵ１０は、その算出結果を液晶モニタ２８に表示する。ある局面において、液晶モニタ２８は、測位処理部２５が算出した表示装置１００の位置情報（たとえば緯度、経度、高度など）を地図上に重ねて表示してもよい。他の局面において、液晶モニタ２８は、カメラ１７によって撮影された場所の画像と、当該場所の位置情報とを重ねて表示してもよい。
【００３１】
本実施の形態に係る表示装置１００において、ある局面において、カメラ１７は、液晶モニタ２８の表示領域の中心線上に配置されている。中心線は、たとえば、表示領域が線対称である場合における対称軸に相当する。
【００３２】
ＣＰＵ１０は、カメラ１７による撮像結果に基づいて、表示装置１００のユーザの両目の位置を検出する。ＣＰＵ１０は、両目の位置が三次元で表示される画像を視認するために予め規定された位置にあることを検出すると、第１の形成部５０として、液晶モニタ２８において第１の視差バリアを形成し、第２の形成部５１として、第２の視差バリアを形成しない。これにより、視差バリアが選択的に構成され得る。
【００３３】
図２を参照して、ある局面に従う液晶モニタの構造について説明する。図２は、従来の構成を有する三次元表示可能な液晶モニタ２００の構造の概略を表わす図である。図２に示される例は、たとえば、液晶モニタ２００が理想の位置にある両目によって視認される状態を表わす。
【００３４】
液晶モニタ２００は、表示パネル２１０と、視差バリア２２０，２２１，２２２とを含む。液晶モニタ２００のユーザの両目は、たとえば、左目２３０と右目２４０として示される。このとき、視差バリア２２０，２２１，２２２が形成されると、左目２３０は、左画像ドット２５０，２５２，２５４を視認できる。一方、右目２４０は、視差バリア２２０，２２１，２２２によって遮られるため、左画像ドット２５０，２５２，２５４を視認することができない。逆に、右画像ドット２５１，２５３，２５５は、右目２４０によって視認されるが、視差バリア２２０，２２１，２２２によって遮られるため、左目２３０には視認されない。
【００３５】
図３を参照して、ユーザの両目の位置が右にずれた場合について説明する。図３は、図２に示される液晶モニタ２００を視認する両目が理想の位置から右側にずれた場合における視認の態様を表わす図である。
【００３６】
具体的には、ある局面において、ユーザの両目は、左目２３１と右目２４１として示される。このとき、たとえば、左画像ドット２５０のうちの一部３１０は、視差バリア２２０によって遮られるため、左目２３１には視認されない。一方、この一部３１０は、右目２４１に対しては、視差バリア２２０によって妨げられないため、左目表示用の画像が右目２４１に視認されることになる。
【００３７】
同様に、右画像ドット２５１の一部３１１は、左目２３１に対しては、視差バリア２２０によって妨げられない。したがって、右目用の画像が左目２３１によって視認されることになり、クロストークが発生する。一方、この一部３１１は、右目２４１に対しては、視差バリア２２１によって妨げられるため、右目用として出力された画像は、右目２４１によって一部が視認されなくなる。そのため、三次元で表示される画像の品質の低下に繋がる。同様にして、各画像ドットの一部３１２，３１３，３１４，３１５についても、クロストークが発生する。
【００３８】
図４を参照して、本実施の形態に係る表示装置の構成について説明する。図４は、本実施の形態に係る表示装置１００が備える液晶モニタ２８の構成の概略を表わす図である。液晶モニタ２８は、表示パネル２１０と、視差バリア４１０，４１１，４１２，４１３，４１４と、視差バリア４２０，４２１，４２２とを含む。ここで、視差バリア４２０，４２１，４２２は、三次元画像を表示可能な従来の構成を有する液晶モニタ２００の視差バリア２２０，２２１，２２２に相当し得る。一方、視差バリア４１０，４１１，４１２，４１３，４１４は、三次元で表示される画像の品質を向上させるために、本実施の形態に係る表示装置１００に追加されたものである。
【００３９】
ある局面において、表示装置１００のユーザの両目が左目４３０および右目４４０の場所にあるとき、表示パネル２１０から出力される画像は、視差バリア４２０，４２１，４２２を通して左目４３０および右目４４０にそれぞれ視認される。
【００４０】
他の局面において、ユーザの両目が左目４３１および右目４４１に示されるように理想的な位置から左側にずれた場合、表示パネル２１０によって表示される画像のうち、右画像ドット２５１の一部は、視差バリア４１０によって遮られるため、左目４３１には視認されない。同様に、右目用に出力される右画像ドット２５３のうちの一部４５３および右画像ドット２５５の一部４５５は、それぞれ、視差バリア４１２，４１４によって左目４３１に対しては遮られるため、右目用の画像が左目４３１に視認されることはない。
【００４１】
一方、左目用に表示される左画像ドット２５０，２５２，２５４については、その一部４５０，４５２，４５４は、視差バリア４１０，４１２，４１４によってそれぞれ遮られるため、右目４４１には視認されない。
【００４２】
さらに他の局面において、ユーザの両目が理想の位置よりも右側にずれて左目４３２および右目４４２として示される場合についても同様である。
【００４３】
図５は、ある局面における表示装置について、一層の視差バリアとして、視差バリア５１０，５２０が形成される場合を表わす図である。ユーザの両目が、左目５３０、右目５４０として示される時、左目用の画像ドット５００，５０２は、左目５３０には視認されるが、視差バリア５１０，５２０のため、右目５４０には視認されない。同様に、右目用の画像ドット５０１，５０３は、右目５４０には、視認されるが、視差バリア５１０，５２０のため、左目５３０には視認されない。
【００４４】
一方、ユーザの両目が、左目５３１、右目５４１として示される時、視差バリア５１０，５２０によって妨げられない右目用の画像ドット５０１，５０３の一部が、左目５３１によって視認され得る。これにより、クロストークＬＢＸが発生する。また、左目用の画像ドット５００，５０２の一部は、右目５４１によって視認され得る。これにより、クロストークＲＢＸが発生する。
【００４５】
図６は、本実施の形態に係る表示装置１００の液晶モニタ２８の構成の概要を表わす図である。液晶モニタ２８は、図５に示される視差バリア５１０，５２０に加えて、さらに、視差バリア５５０，５５１，５５２，５５３，５５４，５５５を備える。視差バリア５５０，５５１，５５２，５５３，５５４，５５５は、視差バリア５１０，５２０と表示パネル２１０との間に、構成される。
【００４６】
このような構成によると、標準の位置（すなわち、液晶モニタ２８の正面）にあった左目５３０および右目５４０が左目５３１および右目５４１に移動した場合であっても、左目５３１および右目５４１によって視認されるクロストークは、視差バリア５５０，５５１，５５２，５５３，５５４，５５５によって防止され得る。
【００４７】
図７を参照して、本実施の形態に係る表示装置１００の液晶モニタ２８の構成についてさらに説明する。図７は、表示パネル２１０と、２層に形成された２つの視差バリア７１０，７２０との関係を表わす図である。表示装置１００のユーザの両目が理想の位置にある場合、たとえば左目７３０および右目７４０として規定される。
【００４８】
図７に示される関係において、表示パネル２１０から視差バリア７１０までの距離をｂとする。視差バリア７１０と視差バリア７２０との間隔を距離ｃとする。ユーザの両目から視差バリア７２０までの距離をｄとする。視差バリア７１０の幅をｘとし、視差バリア７２０の幅をｍとする。このとき、次の関係が成立する。
【００４９】
ｘ：ｍ＝ｂ：（ｂ＋ｃ）
これを変形すると、幅ｘは、次式から求められる。
【００５０】
ｘ＝ｍ＊ｂ／（ｂ＋ｃ）・・・（１）
図８を参照して、本実施の形態に係る表示装置１００の構成についてさらに説明する。図８は、サブの視差バリア（ＳＰＢ）８１０，８１１，８１２，８１３のうち、視差バリア８１２の有無に応じて形成される視差の相違を説明するための図である。視差バリア８２０，８２１，８２２，８２３は、三次元の画像表示可能な従来の表示装置と同様に形成される視差バリアに相当する（メインの視差バリア「ＭＰＢ（Main  Parallax  Barrier）」と表わす）。
【００５１】
画像ドット８０１は、視差バリア８１２がない場合に右目８４２によって視認され得る左目画像ドットの一部に相当する。ここで、右目８４２は、標準の位置にある右目８４０から右方向にずれている。画像ドット８０２は、視差バリア８１２がない場合に左目８３１によって視認され得る左目画像ドットの一部に相当する。ここで、左目８３１は、標準の位置にある左目８３０から左にずれている。
【００５２】
視差バリア８１２は、たとえば理想的な位置にある左目８３０および右目８４０に入射する線８５０と線８６０との間に位置するように配置される。
【００５３】
図９および図１０を参照して、本実施の形態に係る表示装置１００の構成についてさらに説明する。図９および図１０は、表示装置１００のユーザの右目が標準の位置よりも右側にずれている場合あるいは左目が標準の位置よりも左側にずれている場合における視差を説明するための図である。
【００５４】
距離ａｌは、理想の位置にある左目７３０からのずれ量に相当し、具体的には、左目７３０から移動後の左目７３１までの距離に相当する。距離ａｒは、理想の位置にある右目７４０からのずれ量に相当し、具体的には、右目７４０から右目７４２までの距離に相当する。距離ｂ，ｃ，ｄは、図７に示される各距離と同じである。
【００５５】
幅ｅｒは、理想の位置にある右目７４０が右方向に距離ａｒだけ移動して右目７４２で示される場所にある場合におけるクロストーク（ＲＲＸ）の幅に相当する。同様に、幅ｅｌは、理想の位置にある左目７３０が左方向に距離ａｌだけ移動して左目７３１で示される場所にある場合におけるクロストークの幅（ＬＬＸ）に相当する。
【００５６】
このとき、このクロストークを防ぐために必要な視差バリア７１０の幅ｘは、たとえば次のようにして求められる。
【００５７】
ａｒ：ｅｒ≒ｄ：（ｂ＋ｃ）  ・・・（２）
ａｌ：ｅｌ≒ｄ：（ｂ＋ｃ）  ・・・（３）
ｅｒ：ｘｒ＝（ｂ＋ｃ）：ｃ  ・・・（４）
ｅｌ：ｘｌ＝（ｂ＋ｃ）：ｃ  ・・・（５）
ｘ＝ｘｒ＋ｘｌ              ・・・（６）
式（２）〜（６）を変形すると、クロストークを防ぐための視差バリア７１０の幅ｘは、次のようにして求められる。
【００５８】
ｘｒ＝ｅｒ＊ｃ／（ｂ＋ｃ）
＝ａｒ＊（ｂ＋ｃ）＊ｃ／（ｄ＊（ｂ＋ｃ））
＝ａｒ＊ｃ／ｄ        ・・・（７）
ｘｌ＝ｅｌ＊ｃ／（ｂ＋ｃ）
＝ａｌ＊（ｂ＋ｃ）＊ｃ／（ｄ＊（ｂ＋ｃ））
＝ａｌ＊ｃ／ｄ        ・・・（８）
ｘ＝（ａｒ＊ｃ＋ａｌ＊ｃ）／ｄ
以上のようにして、本発明の実施の形態に係る表示装置１００は、三次元画像の表示のための視差バリアとして２層の視差バリアを有する。既存の視差バリアと表示領域との間に形成される２層目の視差バリアは、表示装置１００のユーザの標準的な位置からずれた場合に画像の視認を妨げるように配置される。このような構成により、表示装置１００のユーザの両目が左右にずれた場合において、クロストークの発生が抑制される。
【００５９】
なお、本実施の形態においては、第２層目の視差バリアとして構成される視差バリア４１０，４１１，４１２，４１３，４１４が恒常的に形成されている態様が説明されているが、本発明に係る技術思想の適用はそのような態様に限られない。たとえば、ＣＰＵ１０からの命令に基づき、視差バリア４１０，４１１，４１２，４１３，４１４の全部又は一部が選択的に形成されてもよい。このような構成によれば、必要以上に画像ドットが妨げられることを防止することができる。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６１】
本発明は、視差バリアによって三次元の画像を表示可能な端末装置に適用可能である。
【符号の説明】
【００６２】
１１  音声信号処理回路、１２  チューナ、１３  通信装置、１４，１５  アンテナ、１６  ボタン、１７  カメラ、１８  フラッシュメモリ、１９  ＲＡＭ、２０  ＲＯＭ、２１  メモリカード駆動装置、２２  メモリカード、２４  測位信号受信フロントエンド部、２５  測位処理部、２６  マイク、２７  スピーカ、２８  液晶モニタ、２９  バックライト、３２  バイブレータ、１００  表示装置、２１０  表示パネル。
【図１】
2013068707.tif 000003
【図２】
2013068707.tif 000004
【図３】
2013068707.tif 000005
【図４】
2013068707.tif 000006
【図５】
2013068707.tif 000007
【図６】
2013068707.tif 000008
【図７】
2013068707.tif 000009
【図８】
2013068707.tif 000010
【図９】
2013068707.tif 000011
【図１０】
2013068707.tif 000012